(57)【特許請求の範囲】
【請求項１】
集塵ケースを掃除機本体から着脱可能とした電気掃除機であって、前記集塵ケースの塵埃廃棄用の開口部を開閉可能に閉塞する閉塞板ロック機構を設け、当該閉塞板ロック機構にブラシを着脱可能に装着し、前記閉塞板ロック機構を前記ブラシを介して操作する構成としたことを特徴とする電気掃除機。
【発明の詳細な説明】
【技術分野】
【０００１】
本発明は、集塵ケース等を掃除するブラシを有する電気掃除機に関する。
【背景技術】
【０００２】
最近の電気掃除機では、特許文献１に示すように、集塵ケースを取り外すことが可能なものが知られている。特許文献１の電気掃除機では、集塵ケースの外側面に一対の係止突起が設けられており、この一対の係止突起の間に集塵ケースやフィルタを掃除するブラシが保持されるようになっている。
【特許文献１】特開２００５−２１１４５９号公報（段落００５９、図１５）
【発明の開示】
【発明が解決しようとする課題】
【０００３】
しかしながら、特許文献１の電気掃除機ではブラシで集塵ケースやフィルター等を清掃をした後にブラシを紛失しても気付き難いという問題があった。
【０００４】
本発明は、このような問題に鑑みてなされたものであり、ブラシの紛失防止を図った電気掃除機を提供することを目的とする。
【課題を解決するための手段】
【０００５】
上記の課題を解決するために、本願の請求項１の電気掃除機は、集塵ケースを掃除機本体から着脱可能とした電気掃除機であって、前記集塵ケースの塵埃廃棄用の開口部に閉塞板を固定する閉塞板ロック機構を設け、当該閉塞板ロック機構にブラシを着脱可能に装着し、前記閉塞板ロック機構を前記ブラシを介して操作するように構成したことを特徴とする。
【０００６】
本参考例電気掃除機は、集塵ケースを掃除機本体から着脱可能とした電気掃除機であって、前記集塵ケースの把持部の一部をブラシで構成し、当該ブラシを前記把持部から取り外し可能としたことを特徴とする。
【発明の効果】
【０００７】
本発明は、フィルタ等を清掃するブラシの配置場所を、そのためだけでなく、別の作用をする箇所に設けることから、ブラシを常に確認することとなり、ブラシを紛失し難くなる。
【発明を実施するための最良の形態】
【０００８】
以下、本発明を実施するための最良の形態にかかる電気掃除機を図面を用いて説明する。
（実施例１）
図６は、本発明の実施例１にかかる電気掃除機を示したものである。１は電気掃除機、２は掃除機本体、３は掃除機本体２の蓋板、４は掃除機本体２内部の集塵ケース、Ｄｒは集塵ケース４の収納室、Ｍｆは電動送風機、５はホース接続口、６は延長ホース、７は手元操作部、８は延長管、９は吸込口体である。
【０００９】
電気掃除機１は掃除機本体２の前方には延長ホース６が接続される。延長ホース６の他端は手元操作部７とされており、手元操作部７に延長管８を接続し、更に延長管８に吸込口体９が接続される。延長管８に吸込口体９を接続して手元操作部７の操作スイッチ１０を操作すると、吸込口体９から空気を吸引して塵埃を図１、図２に示す集塵ケース４内部に蓄積できるようになっている。掃除機本体２の蓋板３の下方には、後述する集塵ケース４が格納されている。蓋板３は上方に開くことが出来るようになっており、蓋板３を開けて、図１、図２に示す集塵ケース４を掃除機本体２から取り出すことができるようになっている。集塵ケース４の前方にはホース接続口５が突設されており、このホース接続口５に延長ホース６の一端が着脱自在に接続される。
【００１０】
集塵ケース４は、延長ホース６から吸い込まれる空気を濾過して塵埃を捕獲するものであり、図１（ａ）の集塵ケース４の右側には電動送風機Ｍｆが配備される。図１の集塵ケース４の左側には延長ホース６を接続するホース接続口５が筒状に突出して形成されている。
【００１１】
集塵ケース４は、掃除機本体２の前部に形成された収納室Ｄｒ内に格納される。蓋板３は、掃除機本体２の上部に開閉可能に連結されており、掃除機本体２の蓋板３を開けて、集塵ケース４を掃除機本体２から取り出すことができるようになっている。収納室Ｄｒの前後壁は掃除機本体２の筐体前壁部２Ａ及び筐体後壁部（図示省略）により形成され、収納室Ｄｒの左右は掃除機本体２の筐体側壁部２Ｂにより形成される。また、収納室Ｄｒの底部は掃除機本体２の底壁によって構成されている。集塵ケース４は、収納室Ｄｒ内に格納された後に蓋板３を閉じると、蓋板３と収納室Ｄｒの底板との間に挟まれて固定されるようになっている。
【００１２】
掃除機本体２のホース接続口５の反対側には、集塵ファンとモーターを備えた電動送風機Ｍｆが配備されている。集塵ケース４のホース接続口５の反対側である電動送風機Ｍｆ側には、空気を通す開口部を備えた仕切壁が形成されており、この仕切壁の空気を通す開口部には、取り外して洗浄できる図示しないフィルターが装着されている。
【００１３】
集塵ケース４は下方が開いた箱形形状を有しており、集塵ケース４の上部に把持部としてのハンドル１１が形成されている。集塵ケース４は、内部に溜まった塵埃の蓄積状態や内容物を確認できるように透明な樹脂（例えばアクリル樹脂等）で構成されている。集塵ケース４の下部開口部は軟質プラスチック樹脂（例えば、軟質ポリエチレン樹脂等）からなる閉塞板１２で閉鎖される。閉塞板１２には、集塵ケース４の下部開口部をシールする溝部（図示省略）が形成されている。閉塞板１２の溝部内に集塵ケース４の下部開口部を閉塞して、集塵ケース４の内部に塵埃収納空間を形成する。閉塞板１２は、図２（ｂ）に示すように、閉塞板１２側の取付軸部１２Ａと集塵ケース４側の軸受部４ＨからなるヒンジＨによって集塵ケース４の下部開口部に連結されており、閉塞板１２を開けたときに、集塵ケース４の内部の塵埃は重力によって廃棄されるようになっている。
【００１４】
この閉塞板１２には、図１（ｂ）に示すように、脱落防止用の舌片状のストッパー部１３が形成されており、このストッパー部１３の内側には集塵ケース４の側壁面に向かって突出する突起１４が形成されている。このストッパー部１３の突起１４は、集塵ケース４の掛止部１５に引掛かって、閉塞板１２の脱落を防止している。
【００１５】
集塵ケース４の側面後部には、後述する掛止部１５及び鞘部２２並びにブラシ２４を配置するための凹部２０が形成されている。凹部２０の上部２０Ａはブラシ２４の清掃用毛２５の上下動を許容するように幅広く形成され、凹部２０の中間部２０Ｂは鞘部２２とブラシ２４を案内する案内面とされ、凹部２０の下部２０Ｃは掛止部１５が回動できるように幅広く形成されている。集塵ケース４の掛止部１５は、集塵ケース４の凹部２０の底壁部から突設される軸部１６に回動可能に装着されている。
【００１６】
図３、図４は掛止部１５及び鞘部２２並びにブラシ２４の組合せ状態を示す。掛止部１５は略逆Ｌ字形の形状を有している。掛止部１５の下端部には、フック部１７が形成され、フック部１７にはストッパー部１３の突起１４を拘束可能な掛止凹部１５Ａが形成されている（図１（ｂ）参照）。掛止部１５には軸部１６の通し穴１５Ｂが形成されている。掛止部１５の上部にはコイルスプリング１８（図１（ａ）参照）の上端部が接触するアーム部１９が形成されている。
【００１７】
コイルスプリング１８の下端部は凹部２０の底壁部から突出する段部２１の上面２１Ａに設置されている。コイルスプリング１８の上端部は掛止部１５のアーム部１９を上に向かって押し上げている。フック部１７は段部２１の側面２１Ｂに当たっており、フック部１７の回動が止められている。
【００１８】
アーム部１９には軸２２Ａによって鞘部２２が軸止されている。鞘部２２の肉厚部には、細幅の差込穴２３が形成されており（図３、図４参照）、差込穴２３にブラシ２４の柄の部分２４Ａを挿入して固定できるようになっている。鞘部２２とアーム部１９同士は、鞘部２２の上下動によってアーム部１９が回動しうるように、軸２２Ａと軸穴２２Ｂで互いに掛止されている。鞘部２２の後側の面２０Ｄ及び凹部２０の壁面２０Ｂは鞘部２２が上下動するための案内面とされている。
【００１９】
上記のストッパー部１３と突起１４、並びに掛止部１５、コイルスプリング１８、鞘部２２、ブラシ２４は閉塞板ロック機構Ｒ（図１参照）を構成する。
【００２０】
ブラシ２４は棒状の形態をしており、上端部に清掃用毛２５が植毛されている。清掃用毛２５は前述の集塵ケース４内部やそのフィルターを長期間掃除できるように繊維状の丈夫な樹脂によって構成されている。
【００２１】
図１（ａ）及び図２（ａ）の符号２６は掛止部１５及び鞘部２２の外側を覆うカバー板を示す。カバー板２６には軸部１６に螺着するネジ１６Ａと、上部のネジ１６Ｂによって集塵ケース４の側壁に固定される。カバー板２６はブラシ２４によって鞘部２２を下方に押し下げたり、コイルスプリング１８によって鞘部２２が上方に上げられたりするときに、掛止部１５や鞘部２２が集塵ケース４の外側に倒れることを防止する。また、鞘部２２の高さはカバー板２６の高さより低く設定されている。
【００２２】
このように、この実施の形態の電気掃除機１は、集塵ケース４を掃除機本体２から着脱可能としており、集塵ケース４の塵埃廃棄用の開口部に閉塞板１２を固定するために、ストッパー部１３と突起１４並びに掛止部１５、鞘部２２、ブラシ２４からなる閉塞板ロック機構Ｒを設け、ブラシ２４を鞘部２２に対して着脱可能に装着し、掛止部１５をブラシ２４を介して操作するように構成したものである。
【００２３】
従って、ブラシ２４が無いと、鞘部２２を下に動かして閉塞板１２を外す操作ができなくなるため、ブラシ２４をなくすおそれが無くなる。
（参考例）
図５は、参考例の集塵ケース３０を示したものである。参考例にかかる集塵ケース３０は、実施例１の集塵ケース４と同様に、図６の掃除機本体２の前部に形成された収納室Ｄｒ内に格納され、蓋板３を開けて収納室Ｄｒから取り出す。集塵ケース３０は下方が開いた箱形形状を有しており、集塵ケース３０の上部に把持部としてのハンドル３５が形成され、集塵ケース３０の下部開口部は枠状に形成され閉塞板３１で閉鎖されている。閉塞板３１は、軟質プラスチック樹脂（例えば、軟質ポリエチレン樹脂等）で形成される。プッシュロッド３４は集塵ケース３０の側壁の凹部３４Ａに配設され、プッシュロッド３４の外側はカバー２６で覆われている。閉塞板３１のストッパー部３３が掛止部３２に掛止され、プッシュロッド３４を押し下げると、掛止部３２がネジ１６Ａを中心に回動して、掛止部３２とストッパー部３３との掛止が解除される構成、或いは、カバー２６がネジ１６Ａ、１６Ｂで集塵ケース４の側面に固定される構成は、図１、図２のものと同様であるので、その説明を用いる。
【００２４】
集塵ケース３０の上部壁には一対の支持突起３７、３７が形成され、一対の支持突起３７、３７の互いに向かい合う面にブラシ３６の上下端部を装着する溝部３８がそれぞれ形成されている。この支持突起３７、３７の溝部３８、３８の間にはブラシ３６が装着され、一対の支持突起３７、３７とブラシ３６とでハンドル３５が構成されている。ブラシ３６は棒状の形態をしており、上端部に清掃用毛３９が植毛されている。清掃用毛３９は前述の集塵ケース４内部やそのフィルターを長期間掃除できるように繊維状の丈夫な樹脂によって構成されている。
【００２５】
この実施の形態の集塵ケース３０では、集塵ケース３０を掃除機本体２から取り出すためのハンドル３５が、ブラシ３６と一対の支持突起３７、３７で構成されているため、ブラシ３６が無いと、集塵ケース３０を持ち上げることができなくなるため、ブラシ３６をなくすおそれが無くなる。
【００２６】
なお、ハンドル３５の上下の端縁部の両側面に、突起又は凹部を形成し、溝部３８の内面に凹部若しくは突起を形成して、支持突起３７、３７とブラシ３６とを取り出し難くしておくと、容易に外れることがない。
【００２７】
なお、本発明はアップライト型の電気掃除機にも適用できる。
【図面の簡単な説明】
【００２８】
【図１】（ａ）は本発明の実施の形態にかかる電気掃除機の集塵ケースの側面図、（ｂ）は掛止部とストッパー部の部分斜視図。
【図２】（ａ）は図１の集塵ケースを前方から見た斜視図、（ｂ）は集塵ケースの閉塞板のヒンジを示す部分斜視図。
【図３】図１の集塵ケースの鞘部及び掛止部並びにブラシの装着状態を示す図。
【図４】図３の鞘部からブラシを取り出したり、装着したりする状態を示す図。
【図５】図５はハンドルの一部をブラシで構成した参考例の集塵ケースの斜視図。
【図６】本発明の実施例１にかかる電気掃除機の斜視図。
【符号の説明】
【００２９】
１  電気掃除機
４  集塵ケース
１２  閉塞板
１３  ストッパー部
１４  突起
１５  掛止部
１７  フック部
１８  コイルスプリング
１９  アーム部
２２  鞘部
２３  差込穴
２４  ブラシ
３０  集塵ケース
３５  ハンドル
３６  ブラシ
３７  支持突起
３８  溝部
【図１】
0004761958.tif 000002
【図２】
0004761958.tif 000003
【図３】
0004761958.tif 000004
【図４】
0004761958.tif 000005
【図５】
0004761958.tif 000006
【図６】
0004761958.tif 000007